(57)【特許請求の範囲】
【請求項１】
ディスク状記録媒体が収納され、前記ディスク状記録媒体の情報面を露出すべくスライドするシャッターが取付けられたディスクカートリッジを装填可能なディスクプレーヤであって、
前記ディスクカートリッジを情報再生位置及び情報記録位置に搬送する搬送機構と、
前記ディスクカートリッジ上のシャッターをスライドさせるシャッタースライド機構とを備え、
前記シャッターは前記ディスクカートリッジが情報再生位置又は情報記録位置のいずれか一方に在る時にはスライド中間位置にあり、他方に在る時にはスライド終端位置にあることを特徴とするディスクプレーヤ。
【請求項２】
前記ディスクプレーヤは前記ディスク状記録媒体を回転するディスク回転機構を備え、前記ディスク状記録媒体は前記ディスクカートリッジの前記シャッターが前記中間位置に到達する以前に前記ディスク回転機構に装填されることを特徴とする請求項１記載のディスクプレーヤ。
【請求項３】
前記ディスクプレーヤは前記ディスク状記録媒体から情報を読取る為の情報読取手段と、
前記ディスク状記録媒体に情報を記録する為の情報記録手段とを備え、
前記シャッターは前記ディスクカートリッジが情報再生位置に在る時にはスライド中間位置にあり、前記情報読取手段によりディスク状記録媒体から情報を読取ると共に、前記シャッターは前記ディスクカートリッジが情報記録位置に在る時にはスライド終端位置にあり、前記情報記録手段によりディスク状記録媒体に情報を記録することを特徴とする請求項２記載のディスクプレーヤ。
【発明の詳細な説明】
【０００１】
【発明の属する技術分野】
本発明は、ディスク状記録媒体から情報を再生、またはディスク状記録媒体に情報を記録するディスクプレーヤに関し、更に詳しくは、ディスク状記録媒体を収納するディスクカートリッジ上に設けられたシャッターの開閉タイミングと情報の再生位置、または、記録位置との関係を改良したディスクプレーヤに関するものである。
【０００２】
【従来の技術】
周知のように、ディスク状記録媒体を内部に収納しているディスクカートリッジには、上記ディスク状記録媒体の情報面を適宜露出させる、スライド可能なシャッターが取り付けられている。通常、このシャッターは閉じており、ディスクカートリッジ内のディスク状記録媒体を外部環境から保護している。
そのため、従来のディスクプレーヤでは、上記のようなディスク状記録媒体の情報面から情報を再生する、または情報面に情報を記録する時には、上記ディスクカートリッジを搬送機構により所定位置まで搬送すると同時に、上記ディスクカートリッジのシャッターを上記ディスクプレーヤに装着されているシャッター開閉機構によって開放作動させて全開状態にし、ディスク状記録媒体の情報面を露出させ、ディスクプレーヤ内に設けられた光学式ピックアップにより露出した情報面から情報を再生する、または光学式ピックアップと磁気ヘッドとにより露出した情報面に情報を記録することがなされていた。
【０００３】
【発明が解決しようとする課題】
ところで、上記に示したディスクプレーヤには、次のような不具合がある。
先ず、ディスクプレーヤ内の情報再生位置にディスクカートリッジを位置させた時においてディスクプレーヤのシャッター開閉機構によりシャッターを全開状態とし、且つ、その位置からディスクプレーヤ内の情報記録位置にディスクカートリッジを更に移動させることにより、その移動と連動させて、前記ディスク状記録媒体の情報面に前述の磁気ヘッドを摺接させて情報記録を行う形態のディスクプレーヤの場合には、情報再生位置から情報記録位置にディスクカートリッジを更に移動させる際に上記ディスクプレーヤのシャッター開閉機構をディスクカートリッジの移動と共に移動させるか、或いは、上記シャッター開閉機構を上記状態のディスクカートリッジから離脱させ、且つシャッターの開状態を維持させる別の構成が必要であった。
そのため、上記搬送機構と上記シャッター開閉機構とを移動、或いは、離脱させるための構造が、ディスクプレーヤの複雑化及び大型化を招き、それに伴って、ディスクプレーヤも大型化してしまうと共に、部品点数が増加してしまい、製造コストの上昇は否めなかった。
【０００４】
一方、上記とは別に、ディスクプレーヤ内の情報再生位置と情報記録位置とを同じ位置とし、その位置でシャッターを全開状態にした上で前記ディスク状記録媒体の情報面に磁気ヘッドを摺接させて情報記録を行う形態のディスクプレーヤの場合には、上記搬送機構とディスクカートリッジとを離脱させ、それから前記搬送機構により磁気ヘッドを駆動させて前記ディスクカートリッジの情報面に摺接させるようにするか、或いは、上記磁気ヘッドを駆動する磁気ヘッド駆動機構を新たに設ける必要があった。
そのため、上記搬送機構を更に移動させたり、或いは、上記磁気ヘッドを駆動する磁気ヘッド駆動機構を新たに採用すると、ディスクプレーヤの構造が、更に複雑化したり、大型化してしまう。そして、部品点数の増加に伴い、ディスクプレーヤの製造コストの上昇は避けられなかった。
【０００５】
本発明の目的は、上記従来のディスクプレーヤにおける問題に鑑み、シャッタースライド機構の構造の簡素化を図ると共に、ディスクカートリッジを搬送する際のシャッター開閉機構によるシャッターを閉状態から開状態とする間において、情報再生位置と情報記録位置とをとるようにしたディスクプレーヤを提供することにある。
【０００６】
【課題を解決するための手段】
前述の目的を達成するために、本発明のうち請求項１記載の発明は、ディスク状記録媒体が収納され、前記ディスク状記録媒体の情報面を露出すべくスライドするシャッターが取付けられたディスクカートリッジを装填可能なディスクプレーヤであって、前記ディスクカートリッジを情報再生位置及び情報記録位置に搬送する搬送機構と、前記ディスクカートリッジ上のシャッターをスライドさせるシャッタースライド機構とを備え、前記シャッターは前記ディスクカートリッジが情報再生位置又は情報記録位置のいずれか一方に在る時にはスライド中間位置にあり、他方に在る時にはスライド終端位置にあることを特徴としている。
【０００７】
請求項２記載の発明は、前記ディスクプレーヤは前記ディスク状記録媒体を回転するディスク回転機構を備え、前記ディスク状記録媒体は前記ディスクカートリッジの前記シャッターが前記中間位置に到達する以前に前記ディスク回転機構に装填されることを特徴としている。
【０００８】
請求項３記載の発明は、前記ディスクプレーヤは前記ディスク状記録媒体から情報を読取る為の情報読取手段と、前記ディスク状記録媒体に情報を記録する為の情報記録手段とを備え、前記シャッターは前記ディスクカートリッジが情報再生位置に在る時にはスライド中間位置にあり、前記情報読取手段によりディスク状記録媒体から情報を読取ると共に、前記シャッターは前記ディスクカートリッジが情報記録位置に在る時にはスライド終端位置にあり、前記情報記録手段によりディスク状記録媒体に情報を記録することを特徴としている。
【０００９】
【作用】
請求項１記載の発明では、ディスク状記録媒体が収納され、前記ディスク状記録媒体の情報面を露出すべくスライドするシャッターが取付けられたディスクカートリッジを装填可能なディスクプレーヤであって、前記ディスクカートリッジを情報再生位置及び情報記録位置に搬送する搬送機構と、前記ディスクカートリッジ上のシャッターをスライドさせるシャッタースライド機構とを備え、前記シャッターは前記ディスクカートリッジが情報再生位置又は情報記録位置のいずれか一方に在る時にはスライド中間位置にあり、他方に在る時にはスライド終端位置にあるので、ディスクカートリッジを搬送する際のシャッター開閉機構によるシャッターを閉状態から開状態とする間において、情報再生位置と情報記録位置とをとることが可能となる。そして、ディスク状記録媒体の情報面の情報再生時、或いは、情報面への情報記録時に必要な範囲だけ、ディスク状記録媒体の情報面を露出させることができるようになり、ディスク状記録媒体の情報面を保護することができる。また、ディスクプレーヤの搬送部品点数を削減して、小型化、低コスト化することができる。
【００１０】
請求項２記載の発明では、前記ディスクプレーヤは前記ディスク状記録媒体を回転するディスク回転機構を備え、前記ディスク状記録媒体は前記ディスクカートリッジの前記シャッターが前記中間位置に到達する以前に前記ディスク回転機構に装填されるので、ディスクカートリッジのシャッターがスライド中間位置に在る状態では、既にディスクカートリッジ内のディスク状記録媒体を回転駆動することができるようになっている。そのため、ディスクカートリッジのシャッターがスライド中間位置に在る時には、上記ディスク状記録媒体は、情報再生位置か、或いは情報記録位置のいずれか一方のポジションを採ることができるようになる。
【００１１】
請求項３記載の発明では、前記ディスクプレーヤは前記ディスク状記録媒体から情報を読取る為の情報読取手段と、前記ディスク状記録媒体に情報を記録する為の情報記録手段とを備え、前記シャッターは前記ディスクカートリッジが情報再生位置に在る時にはスライド中間位置にあり、前記情報読取手段によりディスク状記録媒体から情報を読取ると共に、前記シャッターは前記ディスクカートリッジが情報記録位置に在る時にはスライド終端位置にあり、前記情報記録手段によりディスク状記録媒体に情報を記録するので、情報再生位置にディスクカートリッジが位置しているときには、ディスクカートリッジのシャッターを半開きの状態、つまり、ディスク状記録媒体の情報面の情報再生時に必要な範囲だけ、ディスク状記録媒体の情報面を露出させることができるようになり、ディスク状記録媒体の情報面を保護することができる。そして、情報記録位置にディスクカートリッジが位置しているときには、ディスクカートリッジのシャッターを全開の状態にすることができる。
また、搬送機構を動作させる複雑な搬送動作部品を採用することがなくなり、簡単な部品で搬送機構を簡素に動作させることができる。
【００１２】
【発明の実施の形態】
以下、図示実施例により本発明の詳細を説明する。
図１乃至図５は、本発明実施例によるディスクプレーヤを説明する説明図であり、図１において、ディスクプレーヤ１０のカートリッジホルダ２０の内側には、上記カートリッジホルダ２０の一側部側に設けた複数のガイド溝２１に沿って前後移動可能なサーボメカ３０が装着されている。更に、上記カートリッジホルダ２０の一側部側には、後述するディスクカートリッジ４０のシャッター４２をスライドさせるシャッタースライド機構５０が取り付けられている。
また、上記カートリッジホルダ２０の他側部側には、上記ディスクカートリッジ４０を前後方向に搬送し、且つ上記サーボメカ３０を昇降及び前後移動させて、上記ディスクカートリッジ４０を情報再生位置及び情報記録位置に搬送させる搬送機構６０と、この搬送機構６０を駆動する駆動源としての駆動モータ７０とが、備えられている。
【００１３】
詳述すると、上記カートリッジホルダ２０は枠体形状を成すものであって、そのカートリッジホルダ２０の前面側には、適宜大きさの開口部２２が設けられており、この開口部２２からディスク状記録媒体４１を収納した略矩形状のディスクカートリッジ４０が、上記カートリッジホルダ２０の内部に向かって挿入されたり、或いは外部に向かって抜出されたりするようになっている。
この時、上記ディスクカートリッジ４０内のディスク状記録媒体４１を保護するシャッター４２は、上記カートリッジホルダ２０の一側部側に位置するようになっていて、上記シャッター４２のスライド方向は、上記ディスクカートリッジ４０の挿抜方向と一致している。
また、上記カートリッジホルダ２０の一側部側の前後方向に設けられている複数のガイド溝２１には、後述するサーボメカ３０の複数の係合ピン３１が各々摺動可能に係合しており、上記カートリッジホルダ２０内部で上記サーボメカ３０が昇降・往復動可能となるようになっている。
【００１４】
図２に示すように、サーボメカ３０はフレーム形状であって、前記サーボメカ３０の一側部側には、上記カートリッジホルダ２０の各ガイド溝２１に挿入可能な形状の複数の係合ピン３１が、水平方向に突出させて設けてある。また、他側部側には、後述する傾斜溝６３に沿って昇降する昇降ピン３２が、外側に向かって水平方向に突出させて設けてある。
上記サーボメカ３０の中央部には、挿入されたカートリッジ４０内のディスク状記録媒体４１を回転可能に保持する、ディスク回転機構としてのターンテーブル３３が装着されている。このターンテーブル３３は、サーボメカ３０の下面に取り付けられた回転駆動用のスピンドルモータ３３Ａのスピンドル軸３３ａによって回転駆動される（図３参照）。
【００１５】
また、上記サーボメカ３０には、固定部材３４によって一端を軸支されたガイドシャフト３５とウォームギア３６とが、一側部側から他側部側に向けて略平行となるよう配置されている。上記ウォームギア３６の他端には、従動ギア３６ａが噛合されており、この従動ギア３６ａは、サーボメカ３０に装着された図示しない小型モータによって回転駆動される駆動ギア３６ｂと噛み合うことによって回転駆動される。また、上記ガイドシャフト３５の他端は、サーボメカ３０の図示しない嵌合部に嵌合支持されている。
そして、上記ガイドシャフト３５とウォームギア３６とには、一側部側とターンテーブル３３側とを往復動可能とする、情報読取手段としてのピックアップ３７が装着されている。上記ピックアップ３７は、回転駆動される上記ウォームギア３６と噛み合いながらガイドシャフト３５に摺動することによって往復動可能となっている。また、上記スピンドル軸３３ａの法線上にあたるピックアップ３７の位置には、情報読取用レーザー光を照射するレンズ３７ａが装着されている。
【００１６】
また、上記ピックアップ３７の後端には、上記ディスク状記録媒体４１に情報を記録する為の情報記録手段として、上記サーボメカ３０の前後移動に伴って昇降作動可能とした磁気ヘッド３８ａを有する記録機構３８が装着されている。
この記録機構３８は、図示しない弾性部材によりディスク状記録媒体４１の情報記録面方向、つまり、下方への移動習性を付与されているもので、上記サーボメカ３０にカートリッジホルダ４０が装填されていない時は、上記記録機構３８に当接係合するヘッドリフター３９によって起立状態を維持している。このヘッドリフター３９は、サーボメカ３０の奥側に回動軸３９ａにより回動可能に取り付けられていると共に、図示しないばねによって記録機構３８の下方への移動習性に抗して起立方向の力が付与されている。そして、上記サーボメカ３０にディスクカートリッジ４０が装填されて、上記サーボメカ３０がカートリッジホルダ２０の後端へ移動した時には、上記ヘッドリフター３９の下部に設けられている摺動ピン３９ｂが、上記カートリッジホルダ２０に設けられている傾斜部２０ａに沿って上方向に移動させられることによって、上記ヘッドリフター３９が回動して上記記録機構３８から離反する。そして、上記記録機構３８の起立状態を解除して、ディスク状記録媒体４１の情報記録面に磁気ヘッド３８ａを付勢するようになっている。
【００１７】
上記カートリッジホルダ２０の一側部側の適宜位置には、上記ディスクカートリッジ４０のシャッター４２をスライドさせる、シャッタースライド機構５０が設けられている。このシャッタースライド機構５０の取付位置は、搬送されてきた上記ディスクカートリッジ４０が情報再生位置又は、情報記録位置のいずれか一方に在る時には、ディスクカートリッジ４０のシャッター４２をスライド中間位置とするように、また、他方に在る時には、スライド終端位置とするような位置に設けるようにする。
図５に示すように、上記シャッタースライド機構５０は、平板状の部材を折り曲げて形成したシャッタースライド機構本体５１に、側面孔５１ａと張り出しプレート５２とを設けたもので、上記シャッタースライド機構本体５１の側面孔５１ａからは、上記シャッター４２に設けられている凹部４２ａに摺接係合する折り曲げた板バネ５３の一端を適宜突出させると共に、他端をシャッタースライド機構本体５１に固着させてある。そして、上記張り出しプレート５２は平板状であって、上記ディスクカートリッジ４０に設けられている案内溝４０ａ内に挿通可能な形態となっている。そして、上記張り出しプレート５２は、上記案内溝４０ａ内を挿通しながら、シャッター４２を押圧して開かないようにしているディスクカートリッジ４０の図示しない押圧バネを押し込むことによって、上記シャッター４２をスライド可能とするものである。
【００１８】
上記カートリッジホルダ２０の他側部側に装着された搬送機構６０は、上記ディスクカートリッジ４０のシャッター４２のスライド方向と略平行な方向に上記ディスクカートリッジ４０を搬送するものであって、上記カートリッジホルダ２０の前後方向に進退自在に装着されたキャリヤ６１によって上記ディスクカートリッジ４０が情報再生位置及び情報記録位置に搬送されるようになっている。
上記キャリヤ６１は、横Ｆ字形の形状をなすような基板６１ａと側板６１ｂ，６１ｃとから形成されており、上記カートリッジホルダ２０上面の前後方向にわたって設けられている搬送溝２３に沿って往復動可能となっている。
【００１９】
図４に示すように、上記キャリヤ６１の側板６１ｂは、上記カートリッジホルダ２０の他側面に沿って下向きに形成されていると共に、上記側板６１ｂの上部位置には、上記カートリッジホルダ２０の他側面に設けられている側面開口部２４からカートリッジホルダ２０内部に挿入される側板６１ｃと図示しないキャリヤロックと係止フックとが装着されている。上記キャリヤロックは、上記キャリヤ６１をカートリッジホルダ２０に対してロックするもので、カートリッジホルダ２０内にディスクカートリッジ４０が挿入されるとロック解除して、上記キャリヤ６１を移動可能とするものである。また、係止フックは、上記カートリッジホルダ２０の一側面の一部分と係合して、上記キャリヤ６１にカートリッジホルダ２０を係止させるものである。
【００２０】
ところで、上記キャリヤ６１の側板６１ｂの下面には、前後方向にわたって適宜範囲のラック部６２が形成されており、後述する駆動ギヤ７５に噛み合い可能となっているので、駆動ギヤ７５を回転駆動することによって、上記キャリア６１を前後方向に移動することができるようになっている。
一方、上記キャリヤ６１の側板６１ｃは、上記カートリッジホルダ２０の他側面内側に位置すると共に、上記側板６１ｃの側面には、上記サーボメカ３０の昇降ピン３２が摺動可能に係合する平行溝６３ａを含む適宜範囲の傾斜溝６３が設けてある。そして、上記キャリア６１が前後方向に移動することによって、上記傾斜溝６３に沿って上記サーボメカ３０の昇降ピン３２を上下動させ、上記カートリッジホルダ２０に対して上記サーボメカ３０の一側部（昇降ピン３２）側を接離させることができるようになっている。また、上記昇降ピン３２が上記傾斜溝６３の上端と当接した後も上記キャリア６１が更に移動することによって、上記キャリア６１と上記サーボメカ３０とを一体化して移動することができるようになると共に、上記サーボメカ３０をカートリッジホルダ２０のガイド溝２１に沿って前後方向に移動させることができる。
【００２１】
上記カートリッジホルダ２０の他側面後端位置には、上記搬送機構６０を駆動する駆動源としての駆動モータ７０が取り付けられている。
上記駆動モータ７０の駆動軸７０ａには、駆動プーリ７１が取り付けられている。そして、上記カートリッジホルダ２０の他側面側に軸支されている従動プーリ７３との間にＶベルト７２が張架されている。また、上記従動プーリ７３と一体成形の小ギア７３ａは、上記カートリッジホルダ２０の他側面側に軸支されている減速ギア７４に噛み合うように配置されている。
そして、前記減速ギア７４の内側には、上記キャリヤ６１の側板の下面に設けたラック部６２に噛み合わせ可能となるような駆動ギア７５が同軸に装着される。
また、上記減速ギア７４の内周側には、図示しない半周溝が設けてあり、この半周溝の溝端で係止する突起７５ａを上記駆動ギア７５に設けるようにする。そして、上記減速ギア７４が半周ほど駆動されてから上記駆動ギア７５が回転駆動されるようになっている（図１及び図４参照）。
【００２２】
次に、上記構成とした本発明のディスクプレーヤ１０の動作状態について図６乃至図１０を用いて説明する。なお、図６以下は、ディスクプレーヤ１０の動作状態を説明するために構成の一部を省略して記載してあるため、構成の省略してある部分は、図１乃至図５を参照していただきたい。
まず、図６（ａ）は、ディスクプレーヤ１０に搭載されているカートリッジホルダ２０の前面に設けられている開口部２２に、ディスクカートリッジ４０を挿入した状態を示す概略上面図であり、同図（ｂ）は、概略側面図を示している。
上記カートリッジホルダ２０に対してキャリア６１は、前部つまり、図中左端に位置している。この状態では、キャリア６１のラック部６２と駆動ギア７５とは、まだ噛み合っていない。
そして、シャッタースライド機構本体５１の側面孔５１ａから突出している板バネ５３と張り出しプレート５２とは、上記ディスクカートリッジ４０にまだ接していない。
【００２３】
そして、上記カートリッジホルダ２０内に上記カートリッジ４０がある程度奥側に挿入されると、図示しないキャリアロックが解除されて、キャリア６１が移動可能となると共に、上記ディスクカートリッジ４０の側面の図示しない係合孔に係止フックが係止して、上記ディスクカートリッジ４０とキャリア６１とが一体となって移動するようになる。
この時、上記キャリア６１が、上記カートリッジホルダ２０の後方にガイド溝２３に沿って適宜移動することにより、上記キャリア６１のラック部６２と駆動ギア７５とが噛み合うようになり、駆動モータ７０の図示しない回転スイッチが入って、上記駆動モータ７０が回転駆動される。
この駆動モータ７０の始動による回転は、駆動プーリ７１，Ｖベルト７２，従動プーリ７３，小ギヤ７３ａ，減速ギヤ７４へと伝達される。そして、前記減速ギア７４が半回転ほどしてから上記駆動ギア７５が回転し始める。
【００２４】
上記駆動モータ７０の回転駆動により上記キャリア６１が後方に移動するのに伴って、上記ディスクカートリッジ４０は上記カートリッジホルダ２０の後方に搬送される。そして、上記ディスクカートリッジ４０のセンター位置とサーボメカ３０上のターンテーブル３３のセンター位置とが略同軸上に一致するまでは、上記キャリア６１の側板６１ｃに設けられている平行溝６３ａ内の昇降ピン３２は、上記平行溝６３ａ内を摺接しているだけであるから、上記キャリア６１が後方に移動しても上記昇降ピン３２の位置変化はなく、従って上記サーボメカ３０の位置変化もない。
この時、シャッタースライド機構本体５１の側面孔５１ａから突出している板バネ５３は、上記ディスクカートリッジ４０に摺接されて側面孔５１ａの内側に押圧されている。また、張り出しプレート５２は、上記ディスクカートリッジ４０の案内溝４０ａ内を挿通している（図７参照）。
【００２５】
そして、上記ディスクカートリッジ４０のセンター位置とサーボメカ３０上のターンテーブル３３のセンター位置とが略同軸上に一致した時点から、上記ディスクカートリッジ４０とサーボメカ３０とが、一緒に移動を開始する。
つまり、上記駆動モータ７０の回転駆動により上記キャリア６１が後方に移動するのに伴って、上記カートリッジホルダ２０とディスクカートリッジ４０とが後方に搬送される。
この時点で、上記キャリア６１の移動に伴ってサーボメカ３０の側板６１ｃの平行溝６３ａ内の昇降ピン３２は、傾斜溝６３内に移動する。すると、傾斜溝６３に沿って昇降ピン３２が上方向に移動を開始することよって上記サーボメカ３０の一側部（昇降ピン３２）側が上昇すると共に、その後は昇降ピン３２が傾斜溝６３の上端と当接することにより、キャリア６１とサーボメカ３０とが一体となって移動を開始するため、上記カートリッジホルダ２０のガイド溝２１に係合している上記サーボメカ３０の係合ピン３１が上記ガイド溝２１に沿って移動を開始することによって、上記サーボメカ３０が後方に移動しながら、その他側部（係合ピン３１）側が上昇をする。そして、上記カートリッジホルダ２０に対して近接して、上記サーボメカ３０のターンテーブル３３上に上記ディスクカートリッジ４０のディスク状記録媒体４１を載置する。
この時、シャッタースライド機構本体５１の側面孔５１ａから突出している板バネ５３が、上記ディスクカートリッジ４０の凹部４２ａに当接係合すると共に、張り出しプレート５２は、上記ディスクカートリッジ４０内の案内溝４０ａ内を挿通していて、シャッター４２を押圧して開かないようにしているディスクカートリッジ４０の図示しない押圧バネを押し込んでおり、上記シャッター４２をスライド可能な状態としている。
【００２６】
上記サーボメカ３０に対するディスクカートリッジ４０の載置が終了すると、傾斜溝６３の上端側に上記昇降ピン３２が当接することによって、上記キャリア６１と上記サーボメカ３０とが一体となって後方に移動可能となる。
上記キャリア６１が更に所定距離移動すると、シャッタースライド機構本体５１の側面孔５１ａから突出している板バネ５３と張り出しプレート５２とが協動して、上記シャッター４２をスライド開口させ、上記ディスク状記録媒体４１の情報面を露出させて情報再生位置をとることができる。この情報再生位置では、ディスクカートリッジ４０のシャッター４２は、全開しておらず、レンズ３７ａからの情報読取用レーザ光が、ディスク状記録媒体４１に照射可能となる程度に開放されている。
そして、図示しないスイッチにより駆動モータ７０の回転が停止されると共に、上記キャリア６１の移動も停止され、上記ディスクカートリッジ４０内のディスク状記録媒体４１の再生が行われる（図９参照）。
【００２７】
上記ディスク状記録媒体４１に情報記録をする場合は、停止している上記駆動モータ７０を更に回転駆動させて、上記キャリア６１を更に後方に、つまり図中右方向に移動させる。すると、上記キャリア６１の更なる移動に伴って、上記サーボメカ３０とディスクカートリッジ４０とが後方に移動するので、上記カートリッジホルダ２０に固定されているシャッタースライド機構５０により、上記シャッター４２を更にスライド開口させてスライド終端位置に位置させ、上記ディスク状記録媒体４１の情報面を更に露出させて情報記録位置をとることができる。
この情報記録位置では、ディスクカートリッジ４０のシャッター４２は、全開している状態となっている。
そして、上記サーボメカ３０とディスクカートリッジ４０とが一緒に移動して情報記録位置に移動したことにより、上記サーボメカ３０のヘッドリフター３９の摺動ピン３９ｂが回動して傾斜部２０ａの上方位置に移動する。そのことにより、ヘッドリフター３９が回動して記録機構３８を下降作動させる。その時、上記ディスクカートリッジ４０のシャッター４２はスライドして全開状態になっているので、上記ディスク状記録媒体４１上に磁気ヘッド３８ａを付勢することによって情報を記録可能とすることができる（図１０参照）。
【００２８】
このような実施例によれば、上記カートリッジホルダ２０に対する上記キャリア６１の直線搬送動作のみにより、サーボメカ３０とディスクカートリッジ４０との圧着を行い、その動作の延長上で記録機構３８の昇降作動を行うことが可能となり、搬送機構系の動作部品を小型化、集約化することができる。
また、上記キャリア６１を往復動させるだけで、上記キャリア６１に設けられている傾斜溝６３に沿って上記サーボメカ３０の昇降ピン３２を上下動させることができるので、上記サーボメカ３０をカートリッジホルダ２０に対して接離させる構造を簡単に形成することができる。
【００２９】
【発明の効果】
以上の実施例からも明らかなように、請求項１記載の発明によれば、ディスク状記録媒体が収納され、前記ディスク状記録媒体の情報面を露出すべくスライドするシャッターが取付けられたディスクカートリッジを装填可能なディスクプレーヤであって、前記ディスクカートリッジを情報再生位置及び情報記録位置に搬送する搬送機構と、前記ディスクカートリッジ上のシャッターをスライドさせるシャッタースライド機構とを備え、前記シャッターは前記ディスクカートリッジが情報再生位置又は情報記録位置のいずれか一方に在る時にはスライド中間位置にあり、他方に在る時にはスライド終端位置にあるので、ディスクカートリッジを搬送する際のシャッター開閉機構によるシャッターを閉状態から開状態とする間において、情報再生位置と情報記録位置とをとることが可能となる。そして、ディスク状記録媒体の情報面の情報再生時、或いは、情報面への情報記録時に必要な範囲だけ、ディスク状記録媒体の情報面を露出させることができるようになり、ディスク状記録媒体の情報面を保護することができる。
また、ディスクプレーヤの搬送部品点数を削減して、小型化、低コスト化することができる。
【００３０】
請求項２記載の発明によれば、前記ディスクプレーヤは前記ディスク状記録媒体を回転するディスク回転機構を備え、前記ディスク状記録媒体は前記ディスクカートリッジの前記シャッターが前記中間位置に到達する以前に前記ディスク回転機構に装填されるので、ディスクカートリッジのシャッターがスライド中間位置に在る状態では、既にディスクカートリッジ内のディスク状記録媒体を回転駆動することができるようになっている。そのため、ディスクカートリッジのシャッターがスライド中間位置に在る時には、上記ディスク状記録媒体は、情報再生位置か、或いは情報記録位置のいずれか一方のポジションを採ることができるようになる。
【００３１】
請求項３記載の発明によれば、前記ディスクプレーヤは前記ディスク状記録媒体から情報を読取る為の情報読取手段と、前記ディスク状記録媒体に情報を記録する為の情報記録手段とを備え、前記シャッターは前記ディスクカートリッジが情報再生位置に在る時にはスライド中間位置にあり、前記情報読取手段によりディスク状記録媒体から情報を読取ると共に、前記シャッターは前記ディスクカートリッジが情報記録位置に在る時にはスライド終端位置にあり、前記情報記録手段によりディスク状記録媒体に情報を記録するので、情報再生位置にディスクカートリッジが位置しているときには、ディスクカートリッジのシャッターを半開きの状態、つまり、ディスク状記録媒体の情報面の情報再生時に必要な範囲だけ、ディスク状記録媒体の情報面を露出させることができるようになり、ディスク状記録媒体の情報面を保護することができる。そして、情報記録位置にディスクカートリッジが位置しているときには、ディスクカートリッジのシャッターを全開の状態にすることができる。
また、搬送機構を動作させる複雑な搬送動作部品を採用することがなくなり、簡単な部品で搬送機構を簡素に動作させることができる。
【図面の簡単な説明】
【図１】本発明を適用したディスクプレーヤの概略上面図である。
【図２】図１中のサーボメカの要部構成を説明するための概略上面図である。
【図３】図１のＡ−Ａ矢視図である。
【図４】図１のＢ−Ｂ矢視図である。
【図５】図１のＣ−Ｃ矢視図である。
【図６】本発明を適用したディスクプレーヤにディスクカートリッジをローディングさせている状態を示すもので、（ａ）は、概略上面図、（ｂ）は、概略側面図である。
【図７】本発明を適用したディスクプレーヤにディスクカートリッジをローディングさせている状態を示すもので、（ａ）は、概略上面図、（ｂ）は、概略側面図である。
【図８】本発明を適用したディスクプレーヤにディスクカートリッジをローディングさせている状態を示すもので、（ａ）は、概略上面図、（ｂ）は、概略側面図である。
【図９】本発明を適用したディスクプレーヤの情報再生位置にディスクカートリッジを位置させた状態を示すもので、（ａ）は、概略上面図、（ｂ）は、概略側面図である。
【図１０】本発明を適用したディスクプレーヤの情報記録位置にディスクカートリッジを位置させた状態を示すもので、（ａ）は、概略上面図、（ｂ）は、概略側面図である。
【符号の説明】
１０    ディスクプレーヤ
２０    カートリッジホルダ
３０    サーボメカ
３３    ターンテーブル
３７    ピックアップ
３８    記録機構
３８ａ  磁気ヘッド
４０    ディスクカートリッジ
４１    ディスク状記録媒体
４２    シャッター
５０    シャッタースライド機構
６０    搬送機構
７０    駆動モータ
【図１】
0003630549.tif 000002
【図２】
0003630549.tif 000003
【図３】
0003630549.tif 000004
【図４】
0003630549.tif 000005
【図５】
0003630549.tif 000006
【図６】
0003630549.tif 000007
【図７】
0003630549.tif 000008
【図８】
0003630549.tif 000009
【図９】
0003630549.tif 000010
【図１０】
0003630549.tif 000011